(57)【要約】【課題】  操作性が良好で、画像および管理情報の書換えを確実に行うことができる画像書込装置、コネクタおよび表示記録媒体を提供する。【解決手段】  無電源で画像を可視表示可能な電子ペーパー（表示記録媒体）１００をコネクタ１０に装着し、画面部３Ａ，３Ｂ上にかざし、コネクタ１０に設けられた操作ボタン１３を押下すると、パルス電圧が電子ペーパー１００の画像記録領域に供給されるとともに、画像光が照射されて画像が書き込まれ、電子ペーパー１００のＩＣチップ内の管理情報が書き換えられる。【選択図】      図１
2007081864.tif 000002
【特許請求の範囲】
【請求項１】
画像光の照射によって画像が可視的に書き込まれる表示記録媒体と、
前記表示記録媒体の位置、角度等の位置情報を計測する計測手段と、
前記表示記録媒体に前記画像光を照射する照射手段を有し、計測された前記位置情報に基づいて前記表示記録媒体の位置、角度等に応じた画像光を前記照射手段から前記表示記録媒体に照射して画像の書込みを行う書込手段とを備えたことを特徴とする表示記録媒体システム。
【請求項２】
前記書込手段は、計測された前記位置情報に基づいて画像データを補正する補正手段を備え、前記画像データに応じた前記画像光を前記照射手段から発生させることを特徴とする請求項１に記載の表示記録媒体システム。
【請求項３】
前記計測手段は、前記表示記録媒体の三次元の位置、角度等の位置情報を計測し、
前記補正手段は、計測された前記三次元の位置情報に基づいて前記画像データの拡大又は縮小を含む補正を行うことを特徴とする請求項２に記載の表示記録媒体システム。
【請求項４】
前記表示記録媒体は、前記表示記録媒体の複数の箇所に設けられ、位置信号を発生する複数の位置信号発生素子を備え、
前記計測手段は、前記複数の位置信号発生素子から発生された複数の位置信号を受信する受信部と、前記受信部による受信結果に基づいて前記複数の位置信号発生素子の位置を求めることにより前記表示記録媒体の位置情報を演算する演算部とを備えたことを特徴とする請求項２に記載の表示記録媒体システム。
【請求項５】
前記計測手段は、前記表示記録媒体を撮影する撮影部と、前記撮影部によって撮影された前記表示記録媒体の画像から前記表示記録媒体の位置情報を演算する演算部とを備えたことを特徴とする請求項２に記載の表示記録媒体システム。
【請求項６】
前記照射手段は、光散乱状態と光透過状態に変化可能な調光層からなるスクリーンと、前記スクリーンに前記画像光を投影するプロジェクタを備え、
前記書込手段は、前記書込みを行うとき、前記プロジェクタを制御して前記スクリーンを光透過状態にして前記画像光を前記スクリーンを通して前記表示記録媒体に照射させることを特徴とする請求項２に記載の表示記録媒体システム。
【請求項７】
前記表示記録媒体は、電圧の印加と画像光の照射によって画像が可視的に書き込まれるものであり、
前記書込手段は、前記表示記録媒体に前記電圧を印加する電圧印加手段を備えたことを特徴とする請求項２に記載の表示記録媒体システム。
【請求項８】
前記電圧印加手段は、前記表示記録媒体に着脱可能に設けられたコネクタを備え、前記コネクタを介して前記表示記録媒体に前記電圧を印加することを特徴とする請求項７に記載の表示記録媒体システム。
【請求項９】
前記コネクタは、書込み指令信号を出力するボタンを有し、
前記書込手段は、前記書込み指令信号に基づいて前記書込みを行うことを特徴とする請求項８に記載の表示記録媒体システム。
【請求項１０】
前記コネクタは、書込み指令信号を出力する複数の前記ボタンを有し、
前記書込手段は、前記複数のボタンからそれぞれ前記書込み指令信号が出力された場合に、前記書込みを行うことを特徴とする請求項８に記載の表示記録媒体システム。
【請求項１１】
画像光の照射によって画像が可視的に記録される表示記録部と、
前記表示記録部を保持する枠体と、
前記枠体の異なる位置に設けられ、位置信号を発生する複数の位置信号発生素子とを備えたことを特徴とする表示記録媒体。
【発明の詳細な説明】
【技術分野】
【０００１】
本発明は、画像光の照射によって画像が可視的に記録される表示記録媒体を用いた表示記録媒体システムおよび表示記録媒体に関する。
【背景技術】
【０００２】
近年、画像の書換えが可能という電子ディスプレイの長所と無電源で画像を可視表示可能という紙の長所を併せ持った電子ぺーパーあるいはデジタルペーパーと称せられている表示記録媒体が注目されている。
【０００３】
上記のようなメモリ性を有する画像表示媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００４】
この特許文献１に記載された光書込型表示記録媒体は、一対の透明電極間に、メモリ性を有する液晶層と、光の照射によって抵抗値が変化する光導電層とが積層されたものである。この表示記録媒体には、光の照射面と画像の表示面とが同一のタイプと、異なるタイプとがある。
【０００５】
この特許文献１に記載された画像書込装置は、光透過状態と光散乱状態に切換え可能な調光スクリーンと、この調光スクリーンに画像光を投影するプロジェクタと、光書込型表示記録媒体に装着して一対の透明電極間に電圧を印加するためのクリップ式の電圧印加用コネクタとを備える。
【０００６】
このような構成において、光散乱状態の調光スクリーンにプロジェクタから画像光を投影すると、その画像光は調光スクリーンで散乱するため、投影された画像を広い範囲で観察することができる。表示記録媒体をクリップ式の電圧印加用コネクタで挟み、これを投影画像上にかざし、電圧印加用コネクタに設けられた電圧印加開始ボタンを押下すると、調光スクリーンは光透過状態に切り換えられ、表示記録媒体に電圧が印加され、調光スクリーンを透過した画像光が表示記録媒体に書き込まれる。この構成によれば、スクリーン上の画像を簡易に表示記録媒体に写しとることができる。
【特許文献１】特開２００３−７５８６５号公報（図１、図１３）
【発明の開示】
【発明が解決しようとする課題】
【０００７】
しかし、従来の画像書込装置によると、表示記録媒体の裏面側から画像光が照射されるため、画像光の照射状態を見ることができないことから、画像光が照射される位置を予測して表示記録媒体を置くことになり、予測した位置が正しい位置からずれたり傾いたまま画像光を照射してしまう場合が多く、書き込んだ情報が斜めになったり、欠けたりするという不都合が生じていた。このため、書込み動作を繰り返すことになり、ユーザへの負担となっていた。
【０００８】
一方、画像光の照射を表示記録媒体の上方から行う構成の場合、表示記録媒体上で画像光を確認しながら位置合わせを行うことができるため、ユーザにとっては、より正確に位置合わせをできることになる。しかし、既に書き込まれた画像上にその画像に類似した画像を上書きする場合は、既に書き込まれている画像と新たな画像光が混在して見えてしまうため、表示記録媒体を目視で正確に位置合わせすることは困難となり、結局、複数回の書き込みを繰り返しつつ慣れていくという手間を要していた。
【０００９】
従って、本発明の目的は、光を用いて書き換えを行う表示記録媒体に情報を記録する際に、表示記録媒体を厳密に位置決めしなくても、表示記録媒体に正確に記録することが可能な表示記録媒体システムおよび表示記録媒体を提供することにある。
【課題を解決するための手段】
【００１０】
本発明の第１の態様は、上記目的を達成するため、画像光の照射によって画像が可視的に書き込まれる表示記録媒体と、前記表示記録媒体の位置、角度等の位置情報を計測する計測手段と、前記表示記録媒体に前記画像光を照射する照射手段を有し、計測された前記位置情報に基づいて前記表示記録媒体の位置、角度等に応じた画像光を前記照射手段から前記表示記録媒体に照射して画像の書込みを行う書込手段とを備えたことを特徴とする表示記録媒体システムを提供する。
【００１１】
上記表示記録媒体システムによれば、計測手段によって表示記録媒体の位置情報が計測されるので、測定された表示記録媒体の位置、角度等に応じて画像データを補正することにより、表示記録媒体に画像を正確に記録することができる。表示記録媒体の位置情報には、表示記録媒体の位置、角度（向き、傾き、姿勢）の他、大きさ等が含まれる。
【００１２】
照射手段として、プロジェクタを用いてもよい。これによりレイアウトの自由度が高くなる。また、照射手段として、上記プロジェクタの代わりに、ＣＲＴディスプレイ、プラズマディスプレイ等の表示装置と結像光学系を組み合わせた投影装置により、表示装置からの画像光を表示記録媒体の画像記録領域に結像させてもよい。さらに、照射手段として、ＬＣＤ（液晶ディスプレイ）、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のフラットディスプレイや、ＣＲＴディスプレイを用い、画像表示面に表示記録媒体を密着させてもよい。
【００１３】
前記書込手段は、計測された前記位置情報に基づいて画像データを補正する補正手段を備え、前記画像データに応じた前記画像光を前記照射手段から発生させる構成とすることができる。
【００１４】
前記計測手段は、前記表示記録媒体の三次元の位置、角度等の位置情報を計測し、前記補正手段は、計測された前記三次元の位置情報に基づいて前記画像データの拡大又は縮小を含む補正を行う構成とすることができる。
【００１５】
前記表示記録媒体は、前記表示記録媒体の複数の箇所に設けられ、位置信号を発生する複数の位置信号発生素子を備え、前記計測手段は、前記複数の位置信号発生素子から発生された複数の位置信号を受信する受信部と、前記受信部による受信結果に基づいて前記複数の位置信号発生素子の位置を求めることにより前記表示記録媒体の位置情報を演算する演算部とを備えた構成とすることができる。
【００１６】
位置信号発生素子としては、電磁波（光、電波）や音波（超音波）等を発生する素子を用いることができる。計測手段は、位置信号発生素子から発生された位置信号を受信部で受信し、位置信号発生素子の位置を三角測量の原理によって求めてもよく、電磁波や音波が発生してから受信部に到達するまでの時間に基づいて求めてもよく、その計測方法は限定されない。
【００１７】
前記計測手段は、前記表示記録媒体を撮影する撮影部と、前記撮影部によって撮影された前記表示記録媒体の画像から前記表示記録媒体の位置情報を演算する演算部とを備えた構成とすることができる。
【００１８】
前記照射手段は、光散乱状態と光透過状態に変化可能な調光層からなるスクリーンと、前記スクリーンに前記画像光を投影するプロジェクタを備え、前記書込手段は、前記書込みを行うとき、前記プロジェクタを制御して前記スクリーンを光透過状態にして前記画像光を前記スクリーンを通して前記表示記録媒体に照射させる構成とすることができる。
【００１９】
前記表示記録媒体は、電圧の印加と画像光の照射によって画像が可視的に書き込まれるものであり、前記書込手段は、前記表示記録媒体に前記電圧を印加する電圧印加手段を備えた構成とすることができる。
【００２０】
前記電圧印加手段は、前記表示記録媒体に着脱可能に設けられたコネクタを備え、前記コネクタを介して前記表示記録媒体に前記電圧を印加する構成とすることができる。
【００２１】
前記コネクタは、書込み指令信号を出力するボタンを有し、前記書込手段は、前記書込み指令信号に基づいて前記書込みを行う構成とすることができる。
【００２２】
前記コネクタは、書込み指令信号を出力する複数の前記ボタンを有し、前記書込手段は、前記複数のボタンからそれぞれ前記書込み指令信号が出力された場合に、前記書込みを行う構成とすることができる。
【００２３】
本発明の第２の態様は、上記目的を達成するため、画像光の照射によって画像が可視的に記録される表示記録部と、前記表示記録部を保持する枠体と、前記枠体の異なる位置に設けられ、位置信号を発生する複数の位置信号発生素子とを備えたことを特徴とする表示記録媒体を提供する。
【００２４】
上記表示記録媒体によれば、位置信号発生素子から発生された位置信号を計測手段の受信部によって受信し、受信部による受信結果に基づいて複数の位置信号発生素子の位置を求めることにより表示記録媒体の位置情報を演算することができ、この演算結果に基づいて画像を補正することにより、表示記録媒体に画像を正確に記録することができる。
【発明の効果】
【００２５】
本発明によれば、光を用いて書き換えを行う表示記録媒体に情報を記録する際に、表示記録媒体を厳密に位置決めしなくても、表示記録媒体に正確に記録することが可能となる。
【発明を実施するための最良の形態】
【００２６】
［第１の実施の形態］
図１は、本発明の第１の実施の形態に係る電子ペーパーシステムを示す斜視図である。この電子ペーパーシステムは、表示記録媒体としての光書込み型の電子ペーパー１００と、この電子ペーパー１００に画像情報および画像情報の管理情報を書き込む画像書込装置１とを有して構成されている。
【００２７】
ここで、「画像情報に関する管理情報」は、ユーザＩＤ、媒体ＩＤ等を含む広い概念であり、利用者の属性情報、電子ペーパーの属性情報、画像の属性情報等が含まれる。
【００２８】
（画像書込装置の全体構成）
画像書込装置１は、２つの略箱型状の第１および第２の筐体２Ａ，２Ｂと、これの筐体２Ａ，２Ｂの上面にそれぞれ設けられた第１および第２の画面部３Ａ，３Ｂと、第１および第２の筐体２Ａ，２Ｂ内にそれぞれ設けられ、画面部３Ａ，３Ｂにミラー５Ａ，５Ｂを介して画像光４０を投影する第１および第２のプロジェクタ４Ａ，４Ｂと、第１の筐体２Ａ内に設けられた後述するコントローラユニットにケーブル７によって接続され、操作により押下信号（書込み指令信号）を出力する操作ボタン１３を備え、電子ペーパー１００に電圧を印加するコネクタ１０と、コントローラユニットおよびプロジェクタ４Ａ，４Ｂを制御するパーソナルコンピュータ（ＰＣ）８と、電子ペーパー１００を撮影するＣＣＤカメラ等の撮影装置９とを有する。
【００２９】
なお、画面部３（３Ａ，３Ｂ）の数は上記の２つに限定されず、１つでも３つ以上でもよい。また、コントローラユニットは、画面部３毎に設けてもよい。また、コネクタ１０は、画面部３毎に設けてもよい。コネクタ１０を画面部３毎に設けることにより、画像の写しとり操作を効率的に行うこと可能となる。
【００３０】
（光書込み型の電子ペーパーの構成）
図２は、光書込み型の電子ペーパー１００の平面図である。この光書込み型の電子ペーパー１００は、薄型矩形状を有し、表面１００ａに画像記録領域１１０が設けられ、その枠部１１１に管理情報記録領域としてのＩＣチップ１２０ａおよびアンテナ（図示せず）からなるＲＦＩＤタグ１２０が設けられ、裏面１００ｂに一対の受電端子１０７Ａ，１０７Ｂが設けられている。
【００３１】
なお、ＲＦＩＤタグ１２０の代わりに、接触式のＩＣカードまたはＩＣラベルを用いてもよい。また、電子ペーパーの管理情報の記録領域への記録方式に応じて光学的、磁気的又は熱的に管理情報を読み書きしてもよい。
【００３２】
図３は、図２のＡーＡ線断面図である。この光書込み型電子ペーパー１００は、対向配置された透明のＰＥＴ（ポリエチレンテレフタレート）フィルムからなる一対の基板１０１Ａ，１０１Ｂと、これらの内側に設けられたＩＴＯ（インジウム錫酸化物）からなる一対の透明電極１０２Ａ，１０２Ｂと、表面１００ａ側の透明電極１０２Ａの内側に設けられ、印加電圧に応じて反射率（透過率）が変化するメモリ性を有する液晶、例えば、コレステリック液晶からなる液晶層１０３と、液晶層１０３の内側に設けられた光吸収層１０４と、光吸収層１０４と裏面１００ｂ側の透明電極１０２Ｂとの間に設けられ、画像光４０の照射によって抵抗値が小さくなる光導電層１０５と、透明電極１０２Ａに一端が接続された延在部１０６とを備えて構成されている。上記コレステリック液晶は、マイクロカプセル中に封入され、樹脂バインダー中に分散した構成を採用することができる。この構成を採用した場合は、表示層の流動性を制限しつつ、機械的な強度が高まるので、外部からの圧力や屈曲などの応力に対しても表示画像が変化しにくいという利点がある。
【００３３】
裏面１００ｂ側の基板１０１Ｂには、一対の開口１０８ａ，１０８ｂが設けられ、一方の開口１０８ａの延在部１０６上に受電端子１０７Ａが設けられ、他方の開口１０８ｂの透明電極１０２Ｂ上に受電端子１０７Ｂが設けられている。
【００３４】
光導電層１０５は、２つの電荷発生層１０５ａ，１０５ｃと、これらの間に設けられた電荷輸送層１０５ｂとから構成されている。電荷輸送層１０５ｂの両側に電荷発生層１０５ａ，１０５ｃを積層した構成とすることにより、液晶層１０３への交流電圧の印加が可能となり、液晶層１０３の劣化を抑えることができ、駆動電圧の低電圧化、電子ペーパー１００の高寿命化を実現することができる。
【００３５】
（光書込み型電子ペーパーへの書込み動作）
ここで、電子ペーパー１００への画像の書込み動作について説明する。一対の受電端子１０７Ａ，１０７Ｂを介して一対の透明電極１０２Ａ，１０２Ｂ間にパルス電圧を印加するとともに、画像光４０を裏面１００ｂに照射すると、その画像光４０は、基板１０１Ｂおよび透明電極１０２Ｂを通して光導電層１０５に照射される。光導電層１０５は、画像光４０の照射によって抵抗値が小さくなり、それにより光導電層１０５とのインピーダンス比で決まる液晶層１０３の分圧が増加し、一定以上の閾値を越えた電圧が印加された後、液晶層１０３における光反射率が大きい状態で保持される。
【００３６】
従って、電子ペーパー１００を表面１００ａから見た場合、画像光４０が照射された領域は、照明光を受けて液晶層１０３で反射し、表示光として白く見える。逆に、画像光４０が照射されていない領域は、光導電層１０５の抵抗値が大きくなり、液晶層１０３には閾値を越えない電圧が印加された後、液晶層１０３は光を透過する状態で保持される。この液晶層１０３を通過した光は、光吸収層１０４で吸収されるため、画像光４０が照射されていない領域は、黒く見える。
【００３７】
この電子ペーパー１００は、画像光４０の照射方向と、画像を見る方向が逆になっているので、ユーザは、電子ペーパー１００を裏返しにすることなく、電子ペーパー１００の表面１００ａをＥ方向から見れば、直ちに画像内容を確認することができる。
【００３８】
（コネクタの構成）
図４は、コネクタ１０を示し、（ａ）は平面図、（ｂ）は（ａ）のＢ−Ｂ線断面図である。このコネクタ１０は、コ字状のケース１１と、電子ペーパー１００の当接面１２ａ，１２ｂを有する装着口１２と、ケース１１の表面から出没可能に設けられ、表面側に緑色を発光するＬＥＤランプ１３ａを埋設した操作ボタン１３と、ＲＦＩＤタグ１２０のＩＤチップ１２０ａに対して管理情報の読取りおよび書込みを行うリーダライタ１４と、装着口１２に露出し、装着口１２に装着された電子ペーパー１００の受電端子１０７Ａ，１０７Ｂにパルス電圧を印加する給電端子１５Ａ，１５Ｂと、装着口１２の給電端子１５Ａ，１５Ｂに対向する位置に設けられ、装着口１２に装着された電子ペーパー１００を給電端子１５Ａ，１５Ｂ側に押圧する押圧ばね１６Ａ，１６Ｂとを備える。
【００３９】
このコネクタ１０を電子ペーパ１００に装着するときは、同図矢印で示す方向に装着される。この時、電子ペーパー１００がコネクタ１０内部の当接面１２ａ，１２ｂまで挿入されると、当接面１２ａ，１２ｂにそれぞれ設けられたリミットスイッチ１９（同図では１つのみ図示する。）のレバーを電子ペーパー１００の端部が押すことになり、スイッチＯＮの状態になると、前述した操作ボタン１３内のＬＥＤランプ１３ａが点灯するしくみになっている。この構成の採用により、電子ペーパー１００への電圧印加前に、電子ペーパー１００とコネクタ１０の電極端子間の位置が適切であることが一目で確認できるようになる。
【００４０】
（電子ペーパーシステムの制御系）
図５は、電子ペーパーシステムの制御系を示すブロック図である。この電子ペーパーシステムは、ＰＣ８にコントローラユニット６およびプロジェクタ４Ａ，４Ｂが接続され、コントローラユニット６に画面部３Ａ，３Ｂおよびコネクタ１０が接続されている。コネクタ１０の操作ボタン１３、リーダライタ１４および給電端子１５Ａ，１５Ｂは、前述したようにケーブル７によってコントローラユニット６に接続されている。なお、プロジェクタ４Ａ，４Ｂは、後述する電圧印加部６１とともに書込手段の一部を構成する。
【００４１】
（画面部の構成）
第１の画面部３Ａは、図５に示すように、透明の第１のタッチパネル３０Ａと第１のスクリーン３１Ａを積層して構成され、第１のタッチパネル３０Ａが表面側となるように配置されている。第２の画面部３Ｂも、第１の画面部３Ａと同様に、透明の第２のタッチパネル３０Ｂと第２のスクリーン３１Ｂを積層して構成され、第２のタッチパネル３０Ｂが表面側となるように配置されている。
【００４２】
第１および第２のタッチパネル３０Ａ，３０Ｂは、例えば、抵抗膜方式（感圧方式）を用いるが、電磁誘導方式、静電結合方式、超音波表面弾性波方式、赤外線遮光方式等を用いてもよい。
【００４３】
第１および第２のスクリーン３１Ａ，３１Ｂは、電圧を印加しない場合は光散乱状態となっており、電圧の印加によって光透過状態となるものであり、ポリマー中にネマティック液晶層をドロップ状に分散させ、これを透明電極を有する一対のフィルム基板で挟持したフィルム（例えば、日本板硝子ウムプロダクツ社のウムフィルム）を用いることができる。
【００４４】
（コントローラユニットの構成）
コントローラユニット６は、コネクタ１０の操作ボタン１３からの押下信号を受け付けるとともに、リーダライタ１４との間で管理情報を送受信するコネクタコントローラ６０と、電子ペーパー１００の受電端子１０７Ａ，１０７Ｂに給電端子１５Ａ，１５Ｂを介してパルス電圧を印加する電圧印加部６１と、第１および第２のタッチパネル３０Ａ，３０Ｂの座標位置を入力するタッチパネルコントローラ６２と、第１および第２のスクリーン３１Ａ，３１Ｂを光散乱状態と光透過状態との間で切り換えるスクリーンコントローラ６３とを備える。
【００４５】
（ＰＣの構成）
ＰＣ８は、ＰＣ８内部および電子ペーパーシステム全体を制御するＣＰＵ８０を有し、このＣＰＵ８０に、キーボード、マウス等の入力部８１と、液晶ディスプレイ等の表示部８２と、画面作成プログラム８３ａ等のＣＰＵ８０の動作プログラムを記憶するＲＯＭ８３と、データを一時記憶するＲＡＭ８４と、画像８５ａおよび管理情報８５ｂ等を記憶するＨＤＤ８５と、ＬＡＮ(Local Area Network)あるいはインターネット上の外部のサーバやＰＣ等と通信を行う通信部８６と、撮影装置９が接続されたインタフェース（Ｆ／Ｉ）８７と、電子ペーパー位置演算部８８と、画像処理部８９とを接続している。
【００４６】
電子ペーパー位置演算部８８は、撮影装置９によって撮影された電子ペーパー１００の画像データから電子ペーパー１００の輪郭を抽出し、その抽出した輪郭情報に基づいて電子ペーパー１００の画像記録領域１１０の三次元の位置、角度（向き、傾き、姿勢ともいう。）、大きさ等の位置情報を演算するものである。なお、画面部３Ａ，３Ｂに平行な二次元の位置情報を演算してもよい。
【００４７】
画像処理部８９は、電子ペーパー位置演算部８８によって求められた電子ペーパー１００の位置情報に基づいて、画面部３Ａ，３Ｂに表示する画像に対し、位置補正、傾き補正、拡大縮小等の処理を行うものである。この画像処理部８９による画像処理を図面を参照して詳細に説明する。
【００４８】
図６、図７は、画像処理部８９による画像処理を説明するための図である。図６（ａ）に示すように、画面部３Ａ，３Ｂに投影されている画像のうちユーザが電子ペーパー１００に読み取りたい画像４１ａを決定する。次に、図６（ｂ）に示すように、その画像４１ａ上に電子ペーパー１００の画像記録領域１１０を位置合わせする。この位置合わせの際、電子ペーパー１００が図６（ｂ）に示すように傾いていたとする。この電子ペーパー１００の傾きの値は、撮影装置９によって撮影された電子ペーパー１００の画像データから電子ペーペー位置演算部８８によって演算される。画像処理部８９は、電子ペーパー位置演算部８８によって求められた電子ペーパー１００の傾きに基づいて、画面部３Ａ，３Ｂに投影されている画像４１ａを、図６（ｃ）に示すように、画像４１ｂへと画像記録領域１１０の向きに一致するように傾き補正を行う。そして、図６（ｄ）に示すように、画像４１ｂを画像記録領域１１０に記録する。なお、図６（ｃ）では、分かりやすくするために、画像４１ｂを画像記録領域１１０に対して僅かにずらして表記している。
【００４９】
図７は、電子ペーパー１００が光軸に対して傾いている場合を示す。この場合は、図７（ｂ）に示すように、長方形の図形の画像を画面部３Ａ，３Ｂ投影したとすると、画像記録領域１１０には本来長方形の画像４１ａが歪んで投影される。画像処理部８９は、電子ペーパー１００の位置情報に基づいて電子ペーパー１００が斜めの位置に置かれていても、図７（ｃ）に示すように、画像記録領域１１０に正対するように画像４１ｂを補正する。
【００５０】
なお、上記の説明では、画面部３Ａ，３Ｂに投影される画像と画像記録領域１１０のサイズが等しい場合について説明したが、写し取りたい画像が画面部に投影されている画像の一部である場合は、画像処理部８９は、写し取りたい画像エリアを求め、その画像エリアのみ補正処理を行い、他のエリアと合成して投影してもよく、画面部３Ａ，３Ｂに投影される画像全体を補正してもよい。
【００５１】
（電子ペーパーシステムの動作）
次に、電子ペーパーシステムの動作を、画面部３Ａ，３Ｂの表示例を示す図８〜図１１９を参照し、図１２のフローチャートに従って説明する。
【００５２】
画像書込装置１の電源を投入すると、ＰＣ８のＣＰＵ８０は、ＨＤＤ８５から選択画面を読み出し、その画像信号を第１のプロジェクタ４Ａに送信する。第１のプロジェクタ４Ａは、ＣＰＵ８０からの画像信号に基づいて選択画面の画像光をミラー５Ａを介して第１の画面部３Ａに投影する（Ｓ１）。
【００５３】
図８は、その第１の画面部３Ａに表示された選択画面の一例を示す。この選択画面２００には、中央に「○○プレスリリース」の如くチャンネル表示画像２０１を表示し、その周囲にタイトルＴ1〜Ｔ8を表示した電子ペーパー１００の画像記録領域１１０とほぼ等しい大きさを有する８枚のトピックスボタン２０２をマトリックス状に表示し、下側にチャンネル切替キー２０３およびトピック切替キー２０４を表示する。
【００５４】
この段階では、第１の画面部３Ａの第１のスクリーン３１Ａには電圧は印加されておらず、第１のスクリーン３１Ａは光散乱状態になっており、第１のスクリーン３１Ａに投影された選択画面２００は、広い視野角で第１のタッチパネル３０を通して見ることができる。また、チャンネル表示画像２０１およびトピックスボタン２０２は、背景の色を黒、文字の色を白にして第１のスクリーン３１Ａの全面が光透過状態になっても、眩しくないようにしている。
【００５５】
チャンネル切替キー２０３は、これを手指で押下すると、現在表示されているチャンネルから他のチャンネルに表示内容が切り替わるものであり、トピック切替キー２０４は、これを手指で押下すると、現在表示されているチャンネルに属する他のトピックスボタンが表示される。
【００５６】
ユーザは、選択画面２００のうち一つのトピックスボタン（例えば、図８中斜線を施した部分）２０２をタッチしてタイトルＴ4を選択したとする（Ｓ２）。
【００５７】
タッチパネルコントローラ６２は、その座標情報をＣＰＵ８０に送信する。ＣＰＵ８０は、タッチパネルコントローラ６２から送信された座標情報に基づいてタイトルＴ4に対応する要約Ａ4の要約画像２０５、および詳細画面をＨＤＤ８５から読み出し、画面作成プログラム８３ａに基づいてＲＡＭ８４上でタイトルＴ4のトピックスボタン２０２の代りに要約Ａ4の要約画像２０５を嵌め込んだ画面を作成し、その画像光４０を第１のプロジェクタ４から第１のスクリーン３１Ａに投影させる。続いてＣＰＵ８０は、第２のプロジェクタ４Ｂから詳細画面の画像光４０を第２の画面部３Ｂに投影させる（Ｓ３）。
【００５８】
図９は、その第２の画面部３Ｂに表示された詳細画面、および第１の画面部３Ａに表示された選択画面の一例を示す。この詳細画面２１０には、タイトルＴ4のトピック画像２０２ａ、イメージ２１１、テキスト２１２、日付２１５等を用いてニュースの詳細が表示される。選択されて表示された要約画像２０５は、通常の紙のように背景の色が白、文字の色が黒にしている。ここで、他のトピックスボタン２０２を押下した場合は、そのトピックスボタン２０２は対応する要約画像２０５に切り替わり、第２の画面部３Ｂは、それに対応する詳細画面となる。このとき、それまで表示していた要約画像２０５は、トピックスボタン２０２に戻してもよい。
【００５９】
ユーザは、第１および第２の画面部３Ａ，３Ｂに投影された画面から画像を電子ペーパー１００に写しとる場合は、電子ペーパー１００をコネクタ１０の装着口１２に装着し（Ｓ４）、図１および図４（ａ）に示すように、電子ペーパー１００の短辺および長辺の側面を装着口１２の当接面１２ａ，１２ｂにそれぞれ当接させる。所定の当接位置に電子ペーパー１００が配置されると、リミットスイッチ１９がＯＮし、操作ボタン１３に埋設されたＬＥＤランプ１３ａが緑色に点灯する。この状態では、コネクタ１０の給電端子１５Ａ，１５Ｂは電子ペーパー１００の受電端子１０７Ａ，１０７Ｂに接触している。
【００６０】
コネクタ１０のリーダライタ１４は、ＣＰＵ８０の制御に基づくコネクタコントローラ６０からの制御信号により、常に近接するＩＣチップ１２０ａの固有ＩＤを検知するための連続的な読み取り動作を行っている。電子ペーパー１００がコネクタ１０に挿入されたことで、電子ペーパー１００内のＩＣチップ１２０ａの固有ＩＤ（所有者のユーザーＩＤともいう。）が管理情報の一部として読み取られ（Ｓ５）、取得した固有ＩＤ（ユーザＩＤ）を、コネクタコントローラ６０を介してＣＰＵ８０に送信する。ＣＰＵ８０は、ユーザＩＤを検索キーとしてＨＤＤ８５に格納されている管理情報８５ｂを検索し、当該ユーザーがコンテンツ情報を入手する権利を有する者か否かを判断する（Ｓ６）。ユーザが当該権利を有していない場合は、コネクタ１０の操作ボタン１３を押下しても、なにも変化は起こらず、ステップＳ９以降の処理に進まない。この場合、再度コンテンツ情報の使用が許可されたＩＣチップの固有ＩＤ（ユーザーＩＤ）が読み取られるタイミングを待つ（Ｓ４）。
【００６１】
ステップＳ６において、ユーザが当該権利を有している場合は、写しとりたい画像上に電子ペーパー１００を配置する。例えば、要約画像２０５を写しとりたい場合は図１０に示すように、詳細画面２１０の一部を写しとりたい場合は図１１に示すように、コネクタ１０に装着した電子ペーパー１００を画面部３に表示された画像のうち写しとりたい箇所に接近させて配置する（Ｓ７）。
【００６２】
次に、ユーザはコネクタ１０の操作ボタン１３を押下する（Ｓ８）。その押下信号は、ケーブル７およびコントローラユニット６を介してＰＣ８のＣＰＵ８０に送信される。
【００６３】
ＣＰＵ８は、撮影装置９を制御して電子ペーパー１００を撮影させ、その撮影画像をＩ／Ｆ８７を介して取得する（Ｓ９）。電子ペーパー位置演算部８８は、撮影装置９によって撮影された電子ペーパー１００の画像データから電子ペーパー１００の輪郭を抽出し、その抽出した輪郭情報に基づいて電子ペーパー１００の位置、角度、大きさ等の位置情報を演算する（Ｓ１０）。画像処理部８９は、電子ペーパー位置演算部８８によって求められた電子ペーパー１００の位置情報に基づいて、図６、図７で説明したように画面部３Ａ，３Ｂに表示する画像の位置補正、傾き補正等の処理を行う（Ｓ１１）。
【００６４】
スクリーンコントローラ６３は、第１および第２のスクリーン３１Ａ，３１Ｂを光散乱状態から光透過状態に切り換える。これに続いてＣＰＵ８０は、電圧印加部６１によってコネクタ１０の給電端子１５Ａ，１５Ｂを介して電子ペーパー１００の受電端子１０７Ａ，１０７Ｂにパルス電圧を印加する。これにより、前述したように電子ペーパー１００の画像記録領域１１０に画像が書き込まれる。これに並行して、ＣＰＵ８０は、ＩＣチップ１２０ａに記録されている課金情報を更新する更新情報、および電子ペーパー１００に書き込んだ画像の出所源情報、例えば、ＵＲＬ(Uniform Resouce Locator)をリーダライタ１４に送信する。リーダライタ１４は、ＩＣチップ１２０ａ内の課金情報を更新するとともに、ＩＣチップ１２０ａにＵＲＬを書き込む（Ｓ１２）。
【００６５】
画像の書換えと、管理情報の書換えが終わると、ユーザはコネクタ１０から電子ペーパー１００を離脱させる（Ｓ１３）。電子ペーパー１００に書き込まれた画像は、無電源でも長期間に渡って表示し続け、ＩＣチップ１２０ａに書き込まれた管理情報は、ユーザ、電子ペーパー１００、画像等の管理に供される。
【００６６】
なお、特にコンテンツを利用するユーザーに制約を与える必要のない場合では、上述したフローチャートのうち、コネクタ１０に挿入した電子ペーパー１００上の固有ＩＤ（もしくは所有者のユーザーＩＤ）を読み取って、ＰＣ８内部のリストと照合することなく、操作ボタン１３の押下時にＳ９以降の動作に進む場合ももちろん可能である。
【００６７】
（第１の実施の形態の効果）
この第１の実施の形態によれば、以下の効果が得られる。
（イ）撮影装置９によって撮影された電子ペーパー１００の画像に基づいて電子ペーパー１００の位置情報を演算し、この演算結果に基づいて画面部３Ａ，３Ｂに投影する画像光を補正しているので、電子ペーパー１００を厳密に位置決めしなくても、電子ペーパー１００の画像記録領域１１０の位置、向き、大きさに合わせて正確に画像を記録することができる。
（ロ）空中において手で電子ペーパー１００を持った場合は、電子ペーパー１００の一方の辺が画面部３Ａ，３Ｂから浮き上がって傾くことが多いが、電子ペーパー１００の三次元の位置情報に基づいて歪ませた画像を照射することによって電子ペーパー１００に正対した画像光４０を照射し表示することが可能となる。
（ハ）電子ペーパー演算部８８は、画像記録領域１１０の大きさも測定しているので、大きさの異なる電子ペーパーでも画像を画像記録領域１１０に正確に記録することができる。
（ニ）表示装置として焦点深度の深いプロジェクタ４を用いているので、電子ペーパー１００を画面に密着させる必要がないため、電子ペーパー１００の傷や汚れを少なくすることができ、使い勝手の良い電子ペーパーシステムを提供することができる。
【００６８】
なお、撮影装置９による撮影は、上記実施の形態では、操作ボタン１３を押すのと同時に撮影したが、操作ボタン１３を押す前から行い、押したときに撮影画像を取り込んでもよい。
【００６９】
[第２の実施の形態]
図１３は、本発明の第２の実施の形態に係る電子ペーパーを示す。同図に示す電子ペーパー１００は、図３の構成において、液晶層１０３と光導電層１０５の配置を入れ替えると共に、液晶層１０３と光吸収層１０４の間に隔離層１０９を設け、更に光吸収層１０４を透明電極１０２Ａの内側に配設したものである。これによれば、図３に示した電子ペーパー１００と同様の原理で画像の書込みが行われるが、画像光４０が、基板１０１Ｂ、液晶層１０３、および隔離層１０９を通して光導電層１０５に照射され、見る方向が画像光４０の照射方向と同じになる。従って、表面１００ａは、光を透過させる必要がないため、広告やデザインの表示面として利用することができる。
【００７０】
［第３の実施の形態］
図１４は、本発明の第３の実施の形態に係る画像書込装置の要部の動作を示すフローチャートである。同図では、図１２に示すフローのうちステップＳ８以降を示す。第１の実施の形態では、電子ペーパーの撮影と画像光の位置補正をそれぞれ１回行ったが、この第４の実施の形態では、電子ペーパーの撮影と画像光の位置補正をそれぞれ２回行うものである。
【００７１】
次に、第３の実施の形態の動作を説明する。図１２に示すステップＳ１〜Ｓ７までは第１の実施の形態と同様であるので、説明を省略する。第１の実施の形態と同様に、ユーザがコネクタ１０の操作ボタン１３を押下すると（Ｓ８）、これに基づいて電子ペーパー１００を撮影し（Ｓ９）、電子ペーパー１００の位置情報を演算し（Ｓ１０）、画面部３Ａ，３Ｂに表示する画像の位置補正、傾き補正等の処理を行う（Ｓ１１）。第１および第２のスクリーン３１Ａ，３１Ｂが光散乱状態から光透過状態に切り換わり、電子ペーパー１００の画像記録領域１１０に画像が書き込まれ、ＩＣチップ１２０ａ内の管理情報が更新される（Ｓ１２）。
【００７２】
ここまでは、第１の実施の形態と同様であるが、ステップＳ１２以降、本実施の形態では、撮影装置９によって再度電子ペーパ１００を撮影する（Ｓ２０）。次に、電子ペーパー位置演算部８８は、撮影装置９によって再度撮影された電子ペーパー１００の画像データから電子ペーパー１００の枠部１１１に対する画像記録領域１１０に表示されている画像の位置ずれを演算する（Ｓ２１）。画像処理部８９は、電子ペーパー位置演算部８８によって求められた画像の位置ずれに基づいて、画面部３Ａ，３Ｂに表示する画像の位置補正、傾き補正等の処理を行う（Ｓ２２）。
【００７３】
ＣＰＵ８０は、電圧印加部６１によってコネクタ１０の給電端子１５Ａ，１５Ｂを介して電子ペーパー１００の受電端子１０７Ａ，１０７Ｂに再びパルス電圧を印加する。これにより、電子ペーパー１００の画像記録領域１１０に再度補正された画像が書き込まれる（Ｓ２３）。ユーザがコネクタ１０を電子ペーパー１００から離脱することで終了する（Ｓ１３）。
【００７４】
この第３の実施の形態によれば、操作ボタン１３の操作による手ブレや位置検出誤差、光照射方向や縮尺の誤差等による画像の位置ずれを防止することができる。
【００７５】
なお、ステップＳ２２で求めた位置ずれを記憶しておき、次回の画像補正の際にその位置ずれを考慮して補正してもよい。位置ずれが位置検出誤差、光照射方向や縮尺の誤差等のハードウェアに起因する場合は、ずれ量が繰返し、ほぼ一定角度や一定方向にずれる場合が多い。このような場合は、２回目の撮影および補正を省くことができる。
【００７６】
［第４の実施の形態］
図１５は、本発明の第４の実施の形態に係る電子ペーパーシステムの主要な構成を示す。第１の実施の形態の形態では、撮影装置９により電子ペーパー１００を撮影することにより、電子ペーパー１００の位置情報を取得したが、この第４の実施の形態は、電子ペーパー１００に位置信号発生素子を設けておき、それを受信装置によって受信することにより電子ペーパー１００の位置情報を取得するようにしたものであり、他は第１の実施の形態と同様に構成されている。
【００７７】
電子ペーパー１００は、枠部１１１の異なる位置、例えば、短手方向の上辺左右の角部と長手方向の右辺中央部の３箇所に位置信号発生素子１１２Ａ，１１２Ｂ，１１２Ｃを配置しており、他は図２、図３に示す構成を有している。
【００７８】
位置信号発生素子１１２Ａ，１１２Ｂ，１１２Ｃは、本実施の形態では、位置信号として光を発光するＬＥＤ（発光ダイオード）を用いるが、これに限定されるものではなく、電波、超音波等を発生する素子あるいはデバイスを用いることができる。なお、位置信号発生素子は、２つでも４つ以上でもよい。
【００７９】
受光装置２０は、位置信号発生素子１１２Ａ，１１２Ｂ，１１２Ｃからの位置信号を受信する複数のフォトダイオードを備え、光電変換した検出信号をＰＣ８に送信するように構成されている。受信装置２０は、例えば、特開平１０−９８１２号公報に開示されている位置検出デバイスを用いることができる。この検出デバイスは、所定の間隔を設けて配置され、位置信号発生素子１１２Ａ，１１２Ｂ，１１２Ｃからの拡散光を受光する３つの光電変換部を備え、各光電変換部は直角をなす一対のフォトダイオードからなり、各フォトダイオードで受光した光量に応じた検出信号を出力するように構成されている。なお、受信装置２０は、特開２００４−２１２３２８号公報に示されるようなカメラ等の他の手段を用いてもよい。すなわち、位置信号発生素子１１２Ａ〜１１２Ｃからの光を透過して球面収差により光リングを形成する球面収差の大きい半球レンズ等の光学レンズと、光学レンズにより形成された光リングを検出する受光素子アレイとを用い、光リングを検出する受光素子の位置に基づいて位置信号発生素子１１２Ａ〜１１２Ｃの位置を計測するものである。
【００８０】
ＰＣ８の電子ペーパー位置演算部８８は、受信装置２０の各フォトダイオードから送信される検出信号に基づいて、各フォトダイオードが受光した光量の差から電子ペーパー１００の３つの位置信号発生素子１１２Ａ〜１１２Ｃの三次元位置を求め、電子ペーパー１００の位置、向き、大きさ等の位置情報を演算するものである。
【００８１】
この第４の実施の形態によれば、受信装置２０が受信した位置信号発生素子１１２Ａ，１１２Ｂ，１１２Ｃからの位置信号に基づいて電子ペーパー１００の位置情報を演算し、この演算結果に基づいて画面部３Ａ，３Ｂに投影する画像を補正しているので、電子ペーパー１００を厳密に位置決めしなくても、電子ペーパー１００の画像記録領域１１０の位置、向き、大きさに合わせて正確に画像を記録することができる。
【００８２】
電子ペーパー１００の一方の辺が画面部３Ａ，３Ｂから浮き上がって傾くことが多いが、位置信号発生素子を３つ用いているので、電子ペーパー１００の面を特定することができるため、電子ペーパー１００の三次元の位置情報に基づいて歪ませた画像を照射することによって電子ペーパー１００に正対した画像光４０を照射し表示することが可能となる。
【００８３】
［第５の実施の形態］
図１６は、本発明の第５の実施の形態に係る電子ペーパーを示す。本実施の形態は、図１５に示す第４の実施の形態の電子ペーパー１００に、２つの第１および第２のコネクタ１０Ａ，１０Ｂを装着できるようにしたものである。
【００８４】
すなわち、本実施の形態の電子ペーパー１００は、枠部１１１の長手方向の左右の辺の中央付近に２つの第１および第２のコネクタ１０Ａ，１０Ｂが装着されるコネクタ装着部１１３Ａ，１１３Ｂを有し、第１および第２のコネクク１０Ａ，１０Ｂは、第１の実施の形態と同様の構造を有する。なお、第１および第２のコネクク１０Ａ，１０Ｂの一方に給電端子１５Ａ，１５Ｂを備えた構成としてもよい。
【００８５】
この第５の実施の形態のＣＰＵ８０は、２つのコネクタ１０Ａ，１０Ｂの両方の操作ボタン１３が押下された場合にのみ、次のステップＳ９以降の動作を行うように構成されている。
【００８６】
この第５の実施の形態によれば、位置信号発生素子１１２Ａ〜１１２Ｃとは異なる位置に装着されたコネクタ１０Ａ，１０Ｂを両手で把持し、操作ボタン１３を操作するため、手で位置信号発生素子１１２Ａ〜１１２Ｃが隠れることがなくなるため、位置信号発生素子１１２Ａ〜１１２Ｃの位置を確実に測定することができる。
【００８７】
なお、コネクタ装着部１１３Ａ，１１３Ｂを枠部１１１の短手方向の辺近傍に設けてもよい。また、操作ボタンは、２つのコネクタ１０Ａ，１０Ｂのうち一方にのみ設けてもよく、合計３つ設け、３つのうちいずれか２つが操作された場合にのみステップＳ９以降の動作を行うようにしてもよい。
【００８８】
［他の実施の形態］
なお、本発明は、上記各実施の形態に限定されず、発明の趣旨を逸脱しない範囲内で種々な変形が可能である。また、発明の趣旨を逸脱しない範囲内で各実施の形態の構成要素を任意に組み合わせることができる。
【００８９】
また、電子ペーパーの位置情報の取得方法としては、電子ペーパーに傾き検知センサや加速度センサを設け、それらの出力信号に基づいて電子ペーパーの位置情報を取得してもよい。
【図面の簡単な説明】
【００９０】
【図１】本発明の第１の実施の形態に係る電子ペーパーシステムを示す斜視図である。
【図２】本発明の第１の実施の形態に係る光書込み型の電子ペーパーの平面図である。
【図３】図２のＡ−Ａ線断面図である。
【図４】本発明の第１の実施の形態に係るコネクタを示し、（ａ）は平面図、（ｂ）は（ａ）のＢ−Ｂ線断面図である。
【図５】本発明の第１の実施の形態に係る電子ペーパーシステムの制御系を示すブロック図である。
【図６】（ａ）〜（ｄ）は画像処理部による画像処理を説明するための図である。
【図７】（ａ）〜（ｃ）は画像処理部による画像処理を説明するための図である。
【図８】本発明の第１の実施の形態に係る画面部の表示例を示す平面図である。
【図９】本発明の第１の実施の形態に係る画面部の表示例を示す平面図である。
【図１０】本発明の第１の実施の形態に係る画面部の表示例を示す平面図である。
【図１１】本発明の第１の実施の形態に係る画面部の表示例を示す平面図である。
【図１２】本発明の第１の実施の形態に係る電子ペーパーシステムの動作を示すフローチャートである。
【図１３】本発明の第２の実施の形態に係る電子ペーパーの層構成を示す断面図である。
【図１４】本発明の第３の実施の形態に係る電子ペーパーシステムの動作を示すフローチャートである。
【図１５】本発明の第４の実施の形態に係る電子ペーパーシステムの主要な構成を示す図である。
【図１６】本発明の第５の実施の形態に係る電子ペーパーの平面図である。
【符号の説明】
【００９１】
１  画像書込装置
２Ａ  第１の筐体
２Ｂ  第２の筐体
３Ａ  第１の画面部
３Ｂ  第２の画面部
３Ｃ  画面部
４Ａ  第１のプロジェクタ
４Ｂ  第２のプロジェクタ
５Ａ，５Ｂ  ミラー
６  コントローラユニット
７  ケーブル
８  ＰＣ
９  撮影装置
１０  コネクタ
１１  ケース
１２  装着口
１２ａ，１２ｂ  当接面
１３  操作ボタン
１３ａ  ＬＥＤランプ
１４  リーダライタ
１５Ａ，１５Ｂ  給電端子
１７  出力端子
１８  ドライバーコントローラ
１９  リミットスイッチ
３０Ａ  第１のタッチパネル
３０Ｂ  第２のタッチパネル
３１Ａ  第１のスクリーン
３１Ｂ  第２のスクリーン
３２  タッチパネル
４０  画像光
６０  コネクタコントローラ
６１  電圧印加部
６２  タッチパネルコントローラ
６３  スクリーンコントローラ
６５  ＬＣＤコントローラ
８０  ＣＰＵ
８１  入力部
８２  表示部
８３  ＲＯＭ
８３ａ  画面作成プログラム
８４  ＲＡＭ
８５  ＨＤＤ
８５ａ  画像
８５ｂ  管理情報
８６  通信部
８７  Ｉ／Ｆ
８８  電子ペーパー位置演算部
８９  画像処理部
１００，１００Ｂ  型電子ペーパー
１００ａ  表面
１００ｂ  裏面
１０１Ａ，１０１Ｂ  基板
１０２Ａ，１０２Ｂ  透明電極
１０３  液晶層
１０４  光吸収層
１０５  光導電層
１０５ａ，１０５ｃ  電荷発生層
１０５ｂ  電荷輸送層
１０６  延在部
１０７Ａ，１０７Ｂ  受電端子
１０８ａ，１０８ｂ  開口
１０９  隔離層
１１０  画像記録領域
１１１  枠部
１１２Ａ〜１１２Ｃ  位置信号発生素子
１１３Ａ，１１３Ｂ  コネクタ装着部
１２０  ＲＦＩＤタグ
１２０ａ  ＩＣチップ
２００  選択画面
２０１  チャンネル表示画像
２０２ａ  トピック画像
２０２  トピックスボタン
２０３  チャンネル切替キー
２０４  トピック切替キー
２０５  要約画像
２１０  詳細画面
２１１  イメージ
２１２  テキスト
２１３  進むキー
２１４  戻るキー
【図１】
2007081864.tif 000003
【図２】
2007081864.tif 000004
【図３】
2007081864.tif 000005
【図４】
2007081864.tif 000006
【図５】
2007081864.tif 000007
【図６】
2007081864.tif 000008
【図７】
2007081864.tif 000009
【図８】
2007081864.tif 000010
【図９】
2007081864.tif 000011
【図１０】
2007081864.tif 000012
【図１１】
2007081864.tif 000013
【図１２】
2007081864.tif 000014
【図１３】
2007081864.tif 000015
【図１４】
2007081864.tif 000016
【図１５】
2007081864.tif 000017
【図１６】
2007081864.tif 000018